(57)【要約】【課題】容易に装着し得、排出された尿や便及びその洗浄水が漏出することが無く、かつ対象者が装着状態で身体を動かすことが可能であり、洗浄作用その他が確実に行われ、衛生的に保持できること。【解決手段】老人等の装着対象者の臀部及び陰部をカバーする容器状の便器部１と、対象者の臀部及び陰部をカバーする状態に配した便器部１をその状態に保持するシート状の保持片２、２と、便器部１と汚物容器３とを連通する排出管４と、排出管４に配した開閉弁５と、便器部１の下部に接続した主管６ａ及びその下端に三方切換弁７を介して接続した二つの分岐管６ｂ、６ｃと、一方の分岐管６ｂの下端に接続した温水供給手段８と、他方の分岐管６ｃの下端に接続した乾燥風送給手段９と、便器部１内に配した排便・排尿検出器１０と、各構成要素の動作を制御する制御手段１１とで構成した。【選択図】  図１
0003129272.tif 000002
【実用新案登録請求の範囲】
【請求項１】
開口部側で臀部及び陰部をカバーする容器状の便器部であって、その開口部縁を人の肌に接した場合に接した部位の形状に対応して変形して密着する部材で構成し、かつ人の臀部及び陰部をカバーすべく取り付けた状態で、その状態を保持する保持手段を備えた便器部と、
該便器部の下部に一端が接続し、他端が汚物容器に接続する排出管部であって、その途中に開閉弁を備えた排出管部と、
前記便器部の下部に一端側が接続し、他端が温水及び乾燥風を供給する温水供給手段及び乾燥風送給手段に接続した供給管部であって、その途中に温水又は乾燥風を選択的に送給すべく切換開閉する弁機構を備えた供給管部と、
前記便器部内に配した排尿及び排便を検出する検出手段と、
該検出手段が排尿又は排便を検出すると、前記供給管部を通じて臀部及び陰部並びに便器部内を洗浄する洗浄用の温水を前記便器部内に噴出状態に供給すべく温水供給手段及び該供給管部の弁機構を切換開閉制御し、同時に、洗浄に用いられた温水を排水すべく前記排出管部の開閉弁を開き、その後、前記供給管部を通じた温水の供給が終了すると、前記便器部内に、該温水の供給に代えて該供給管部を通じて乾燥風を供給すべく前記弁機構を切換開閉制御し、該乾燥風の供給の終了と同時に、前記排出管部の開閉弁を閉じるべく制御する制御手段と、で構成した排泄物処理装置であって、
前記供給管部の一端側を前記便器部外周の周縁部近傍に沿って配置し、該供給管部の便器部外周の周縁部に沿った部位に適宜間隔で複数のノズルを配すると共に、該各ノズルの先端を該便器部内に開口させ、更に前記汚物容器に防臭手段を備えた排気口を開口させた排泄物処理装置。
【請求項２】
前記供給管部を、温水の送給用の管及び乾燥風の送給用の管で構成し、前記弁機構をそれぞれの管に個別に挿入した開閉弁によって構成した請求項１の排泄物処理装置。
【請求項３】
前記供給管部を、便器部に接続する一本の主管と、該主管に接続する二本の分岐管であって、その一方が温水供給手段に接続し、他方が乾燥風送給手段に接続する二本の分岐管とで構成し、前記弁機構を、前記主管と前記二本の分岐管との間に挿入し、該主管と該二本の分岐管とを、前者を後者のいずれか一方に対して選択的かつ排他的に接続するように切り換える三方切換弁で構成した請求項１の排泄物処理装置。
【請求項４】
前記検出手段を、排便検出器と排尿検出器とで構成し、前記排便検出器を前記便器部内面に配した圧力センサと、該圧力センサが所定値以上の圧力を検出した場合に排便を検出したものとする排便判定手段とで構成し、前記排尿検出器を、前記便器部内面に所定間隔で配した二つの電極と、その電極間の抵抗を測定する抵抗測定手段と、該抵抗測定手段が所定値以下の抵抗値を検出した場合に排尿を検出したものとする排尿判定手段とで構成した請求項１、２又は又は３の排泄物処理装置。
【請求項５】
人の肌に接した場合に接した部位の形状に対応して変形して密着する部材として、シリコンゴムを採用した請求項１の排泄物処理装置。
【請求項６】
前記保持手段として、便器部の臀部側の両側部に配した二つのシート状部材であって、その先端内面に面状ファスナを配したシート状部材と、便器部の陰部側外面に配した対応面状ファスナであって、前記面状ファスナと結合可能な対応面状ファスナとで構成した請求項１の排泄物処理装置。
【請求項７】
前記防臭手段を、前記排気口に嵌め込んだ籠状部材と該籠状部材に充填したフィルタ部材とで構成した請求項１の排泄物処理装置。
【請求項８】
前記排出管部を硬質の管で構成した場合は、その一部に自由な方向に折曲可能なジョイント手段を構成した請求項１、２、３、４、５、６又は７の排泄物処理装置。
【請求項９】
前記ジョイント手段を、
下部に連結開口部を開口した球状中空体と、
上部開口で、上部に開いた隙間空間を備えた同心二重構造の部分球状中空体であって、前記球状中空体の連結開口部端及びその周囲の周側部を該二重構造の隙間空間にスライド自在に外装し得る部分球状中空体と、
で構成し、
前記球状中空体の上部を、前記便器部の下部又は便器部の下部に上端を接続した排出管部の上部側下端に接続し、かつ前記部分球状中空体の下部を前記排出管部の下部側上端に接続した請求項８の排泄物処理装置。
【考案の詳細な説明】
【技術分野】
【０００１】
本考案は、寝たきりの老人や病人等の排便及び排尿を自動的に処理し、これらの老人等の装着対象者の臀部や陰部を清潔に保持することのできる排泄物処理装置に関する。
【背景技術】
【０００２】
この種の排泄物処理装置としては、種々の提案がある。
この種の装置は、概ね、人体の腰臀部を包囲するオムツ状部材と、該オムツ状部材に結合した洗浄水の供給手段と、該オムツ状部材に結合した該洗浄水及び汚物の排出手段と、オムツ状部材に配した排便及び排尿の検出手段と、該検出手段による排便又は排尿の検出結果に基づいて、前記洗浄水の供給手段及び洗浄水及び汚物の排出手段の動作を制御する制御手段とで構成されているものである。
【０００３】
この種の装置には、前記オムツ状部材と人体との密着性の確保、排便排尿の完全な検出、便や尿の確実な洗浄、人体へのこの装置の着脱の簡易性、この装置を装着した老人等の動作の自由性の確保、その他の問題があり、これらの問題を解決すべく、特許文献１及び２の提案がなされている。
【０００４】
例えば、特許文献１では、前記オムツ状部材の、特に受便器との間の部位に浮輪状部材を介在させて身体との密着性を確保し、排便の処理中はその圧力を高めて洗浄水及び汚物が漏出することがないようにしている。
また特許文献２では、洗浄水の供給手段及び排出手段のホース類並びに検出手段の信号を伝達する導線類をホースユニットに纏めて着脱できるようにし、装置の人体に対する着脱の際に操作を簡単になるようにしている。またオムツ状部材に相当する構成を柔軟性を持った蛇腹状のそれとすることにより、洗浄水等の漏れを防止している。
【０００５】
【特許文献１】特公昭６２−１９１７９号公報
【特許文献２】特許第３０７７０８３号公報
【考案の開示】
【考案が解決しようとする課題】
【０００６】
本考案は、装着が容易であり、装着状態で、排尿・排便した際に、これら及びその洗浄水が外部に漏れ出ることが無く、かつこれを装着した対象者が装着した状態で身体を動かすことが不都合なく可能であり、洗浄作用その他が一層確実に行われ、衛生的に保持できる排泄物処理装置を提供することを解決の課題とする。
【課題を解決するための手段】
【０００７】
本考案の１は、開口部側で臀部及び陰部をカバーする容器状の便器部であって、その開口部縁を人の肌に接した場合に接した部位の形状に対応して変形して密着する部材で構成し、かつ人の臀部及び陰部をカバーすべく取り付けた状態で、その状態を保持する保持手段を備えた便器部と、
該便器部の下部に一端が接続し、他端が汚物容器に接続する排出管部であって、その途中に開閉弁を備えた排出管部と、
前記便器部の下部に一端側が接続し、他端が温水及び乾燥風を供給する温水供給手段及び乾燥風送給手段に接続した供給管部であって、その途中に温水又は乾燥風を選択的に送給すべく切換開閉する弁機構を備えた供給管部と、
前記便器部内に配した排尿及び排便を検出する検出手段と、
該検出手段が排尿又は排便を検出すると、前記供給管部を通じて臀部及び陰部並びに便器部内を洗浄する洗浄用の温水を前記便器部内に噴出状態に供給すべく温水供給手段及び該供給管部の弁機構を切換開閉制御し、同時に、洗浄に用いられた温水を排水すべく前記排出管部の開閉弁を開き、その後、前記供給管部を通じた温水の供給が終了すると、前記便器部内に、該温水の供給に代えて該供給管部を通じて乾燥風を供給すべく前記弁機構を切換開閉制御し、該乾燥風の供給の終了と同時に、前記排出管部の開閉弁を閉じるべく制御する制御手段と、で構成した排泄物処理装置であって、
前記供給管部の一端側を前記便器部外周の周縁部近傍に沿って配置し、該供給管部の便器部外周の周縁部に沿った部位に適宜間隔で複数のノズルを配すると共に、該各ノズルの先端を該便器部内に開口させ、更に前記汚物容器に防臭手段を備えた排気口を開口させた排泄物処理装置である。
【０００８】
本考案の２は、本考案の１の排泄物処理装置に於いて、前記供給管部を、温水の送給用の管及び乾燥風の送給用の管で構成し、前記弁機構をそれぞれの管に個別に挿入した開閉弁によって構成したものである。
【０００９】
本考案の３は、本考案の１の排泄物処理装置に於いて、前記供給管部を、便器部に接続する一本の主管と、該主管に接続する二本の分岐管であって、その一方が温水供給手段に接続し、他方が乾燥風送給手段に接続する二本の分岐管とで構成し、前記弁機構を、前記主管と前記二本の分岐管との間に挿入し、該主管と該二本の分岐管とを、前者を後者のいずれか一方に対して選択的かつ排他的に接続するように切り換える三方切換弁で構成したものである。
【００１０】
本考案の４は、本考案の１、２又は３の排泄物処理装置に於いて、前記検出手段を、排便検出器と排尿検出器とで構成し、前記排便検出器を前記便器部内面に配した圧力センサと、該圧力センサが所定値以上の圧力を検出した場合に排便を検出したものとする排便判定手段とで構成し、前記排尿検出器を、前記便器部内面に所定間隔で配した二つの電極と、その電極間の抵抗を測定する抵抗測定手段と、該抵抗測定手段が所定値以下の抵抗値を検出した場合に排尿を検出したものとする排尿判定手段とで構成したものである。
【００１１】
本考案の５は、本考案の１の排泄物処理装置に於いて、人の肌に接した場合に接した部位の形状に対応して変形して密着する部材として、シリコンゴムを採用したものである。
【００１２】
本考案の６は、本考案の１の排泄物処理装置に於いて、前記保持手段として、便器部の臀部側の両側部に配した二つのシート状部材であって、その先端内面に面状ファスナを配したシート状部材と、便器部の陰部側外面に配した対応面状ファスナであって、前記面状ファスナと結合可能な対応面状ファスナとで構成したものである。
【００１３】
本考案の７は、本考案の１の排泄物処理装置に於いて、前記防臭手段を、前記排気口に嵌め込んだ籠状部材と該籠状部材に充填したフィルタ部材とで構成したものである。
【００１４】
本考案の８は、本考案の１、２、３、４、５、６又は７の排泄物処理装置に於いて、前記排出管部を硬質の管で構成した場合は、その一部に自由な方向に折曲可能なジョイント手段を構成したものである。
【００１５】
本考案の９は、本考案の８の排泄物処理装置に於いて、前記ジョイント手段を、下部に連結開口部を開口した球状中空体と、上部開口で、上部に開いた隙間空間を備えた同心二重構造の部分球状中空体であって、前記球状中空体の連結開口部端及びその周囲の周側部を該二重構造の隙間空間にスライド自在に外装し得る部分球状中空体とで構成し、
前記球状中空体の上部を、前記便器部の下部又は便器部の下部に上端を接続した排出管部の上部側下端に接続し、かつ前記部分球状中空体の下部を前記排出管部の下部側上端に接続したものである。
【考案の効果】
【００１６】
本考案の１の排泄物処理装置によれば、寝たきりの老人や歩行不能な病人等の装着対象者に装着してその排便や排尿の処理を自動的にかつ衛生的に行うことができる。
【００１７】
本考案の１の排泄物処理装置の装着は、装着対象者の股間に容易にかつ密着状態に取り付けることが可能である。具体的には、便器部を、臀部対応部を臀部側に、陰部対応部を陰部側に対応させながら配し、その開口部縁を対象者の臀部及び陰部の周囲に密着させる。開口部縁を当接させると、該開口部縁は人の肌に接した場合に接した部位の形状に対応して変形して密着する部材で構成してあるため、良好に密着し、その内部が外部からほぼ完全に遮断された状態になる。この状態を前記保持手段で保持するようにする。その操作手順は、保持手段の構成に従う。
【００１８】
本考案の１の排泄物処理装置によれば、これを装着した対象者が排尿又は排便をした場合は、前記検出手段が、それらを検出し、その検出信号が制御手段に入力されると、該制御手段の制御動作により、便器部内及び対象者の臀部、陰部並びにその周囲が洗浄され、その後、乾燥されることになる。
【００１９】
前記のように排便又は排尿の検出信号が制御手段に入力された後は、該制御手段の制御動作により、まず前記弁機構を開閉動作させ、前記供給管部を通じて前記温水供給手段の作成する温水を便器内に供給し、その内部及びこれを装着した老人等の対象者の臀部並びに陰部を洗浄する。このとき、前記供給管部の便器部側の端部は、該便器部外周の周縁部近傍に沿って配置し、該供給管部の便器部外周の周縁部に沿った部位に適宜間隔で複数のノズルを配すると共に、該各ノズルの先端を該便器部内に開口させてあるため、便器部内に温水を適切に噴出させ、その内部及びこれを装着した老人等の対象者の臀部等を良好に洗浄することができる。
【００２０】
該供給管部による温水の供給と同時に、前記排出管部の開閉弁が開かれ、洗浄に用いられた温水は汚物と共に直ちに該排出管部を通じて排水され、前記汚物容器に収容保管されることになる。該汚物容器は、その排気口が開口されていることにより、排水及び汚物の受け入れが良好に行われ、更に排気口に防臭手段が構成されていることにより、このとき、汚物臭等が外部に放散されることがない。
【００２１】
以上の洗浄及び排水が完了すると、前記弁機構が切り換えられ、前記供給管部を通じて、前記温水の供給に代えて、前記乾燥風送給手段からの乾燥風の供給が行われ、これが前記便器部内に吹き込まれ、便器部内、これを装着した老人等の対象者の臀部及び陰部が乾燥されることになる。これらの乾燥風も又前記排出管部を通じて前記汚物容器に送り込まれ、その排気口を通じて大気に排出されることになる。汚物臭等は、前記のように、防臭手段で除去される。
【００２２】
こうしてこの装置を装着した老人等の対象者は排便・排尿をした場合も直ちにそれらの汚物が除去され、臀部付近は、衛生的に保たれることになる。
【００２３】
更に、前記のように、便器部は、その開口部縁が、これを装着した老人等の対象者の臀部及び陰部の周囲に密着した状態となっているため、以上のような洗浄動作の際に、洗浄用の温水やこれと混じった汚物等が開口部縁と肌との間から漏れ出るような虞がない。
【００２４】
本考案の２の排泄物処理装置によれば、温水及び乾燥風の送給を行う供給管部を簡単に構成することができる。
【００２５】
本考案の３の排泄物処理装置によれば、前記供給管部の主たる部分を一本の主管で構成可能であり、温水供給手段及び乾燥風送給手段に接続する管がコンパクトになる利点が得られる。
【００２６】
本考案の４の排泄物処理装置によれば、排便及び排尿を検出する検出手段を簡明でかつ正確に検出できるように構成することができる。
【００２７】
本考案の５の排泄物処理装置によれば、簡単に便器部の開口部縁を装着した老人等の対象者の対応部位の形状に応じて自在に変形し、良好に密着できるようにすることができる。
【００２８】
本考案の６の排泄物処理装置によれば、極めて簡易な構成で、簡単かつ確実に便器部を身体の所定の部位に取り付け保持することができることになる。
【００２９】
本考案の７の排泄物処理装置によれば、簡易な構成で汚物容器から吐出される排気から臭気を除去することができる。
【００３０】
本考案の８の排泄物処理装置によれば、前記排出管部を硬質の管で構成した場合であっても、その途中に自由な方向に折曲可能なジョイント手段を構成してあるため、この装置を装着した老人等の対象者は、ある程度の範囲で装着したままで身体を動かすことが可能である。
なお、該排出管部をフレキシブルな管で構成した場合には、このような構成が無くても装着対象者はある程度の範囲で身体を自由に動かすことが可能となる。
【００３１】
本考案の９の排泄物処理装置によれば、前記ジョイント手段が簡明で確実に動作する手段として構成することができる。
【考案を実施するための最良の形態】
【００３２】
考案を実施するための最良の形態を実施例に基づいて説明する。
【００３３】
この実施例の排泄物処理装置は、図１に示すように、開口部側で装着する老人等の対象者の臀部及び陰部をカバーする容器状の便器部１と、対象者の臀部及び陰部をカバーする状態に配した便器部１を該位置に保持するためのシート状の保持片（保持手段）２、２と、該便器部１と汚物容器３とを連通する排出管（排出管部）４と、該排出管４の上端付近の内部に挿入した開閉弁５と、前記便器部１の下部に上端を接続する主管６ａ及び該主管６ａの下端に三方切換弁７を介して上端を接続する二つの分岐管６ｂ、６ｃで構成した供給管部と、該一方の分岐管６ｂの下端に接続した温水供給手段８と、該他方の分岐管６ｃの下端に接続した乾燥風送給手段９と、前記便器部１内に構成した排便・排尿検出器（検出手段）１０と、各構成要素の動作を制御する制御手段１１とで構成したものである。
【００３４】
前記便器部１は、図１及び図２に示すように、開口部側を内側にして側方から見て部分円弧状乃至Ｌ型に屈曲した容器状の部材であり、該便器部１を、装着対象者の臀部及び陰部をカバーすべく、該対象者の該部位に配した場合に、その開口部縁１ａは、接した部位の形状に対応して変形して密着する部材、即ち、この実施例では、シリコンゴムで構成する。また該便器部１の本体部分は、弾力性を有するプラスチックで成形し、装着者の体型に対応して若干の変形の可能なものとする。
【００３５】
前記保持片２、２は、図１、図２及び図４に示すように、前記便器部１の臀部側の両側部から延長した布材を基材とし、それらの各々の先端内面に面状ファスナ２ａを施したものである。各保持片２、２の長さは、該便器部１を対象の装着者に取り付けた状態でその脚部乃至腰部の外側を巻いて該便器部１の陰部側外面に届く程度の寸法に設定し、該便器部１の陰部側外面に配してある対応面状ファスナ１ｂの各々対応する部位に、前記面状ファスナ２ａ、２ａを接合して固定可能としたものである。
【００３６】
なお、上記面状ファスナ２ａ、２ａは、シート状基材の表面に多数の小フックを植設して構成したものであり、保持片２、２の基材をなす布材の先端内面に該シート状基材側を縫合又は接着することで該部位に固設したものである。前記対応面状ファスナ１ｂは、前記のように、便器部１の陰部側外面に取り付けたものであるが、これは、該面状ファスナ２ａ、２ａと接合固定することを可能とすべく、多数の小フック又は小逆Ｕ型片をシート状基材の表面に植設して構成したものであり、該シート状基材を該便器部１の該当部位に接着することで該部位に取り付けたものである。
【００３７】
従って該便器部１を、図４に示すように、寝たきり老人等の装着対象者の股間に配し、保持片２、２を該対象者の脚部乃至腰部の外側を巻いて該便器部１の陰部側外面まで延長し、その内面側の面状ファスナ２ａ、２ａをそれぞれ該便器部１の陰部側外面に配した対応面状ファスナ１ｂに圧接すれば、相互は接合固定し、該便器部１は対象者の股間に固定された状態となる。
【００３８】
前記排出管４は、図１，図２及び図４に示すように、プラスチックで成形された上支分管４ａと下支分管４ｂとで構成し、該上支分管４ａの上端には前記開閉弁５を挿入し、該上支分管４ａと該下支分管４ｂとは、いずれの方向にも自由に屈曲可能なジョイント部（ジョイント手段）１２で接続したものである。なお、この実施例では、排出管４を硬質のプラスチックで成形した上支分管４ａと下支分管４ｂとで構成したため、上記のジョイント部１２を採用したものである。
【００３９】
また、前記上支分管４ａの上端はその内周に雌ねじ部が形成してあり、前記便器部１の臀部側下部に垂下突出状態に形成した筒状雄ねじ部に螺合して着脱自在に接続し、前記下支分管４ｂの下端はその外周に雄ねじ部が形成してあり、後述するように、汚物容器３の上部の一方の肩部の連結穴に、その内周に形成してある雌ねじ部と螺合することで着脱自在に接続できるようになっている。
【００４０】
前記開閉弁５としては、この実施例では、前記制御手段１１で制御が容易な電磁弁を採用した。
【００４１】
前記ジョイント部１２は、図３に示すように、下部に連結開口部１２ａｈを開口した球状中空体１２ａと、同心二重構造の部分球状中空体１２ｂとで構成したものである。いずれも若干の弾力性を備えたプラスチックによって成形したものである。
【００４２】
前記球状中空体１２ａは、上半分を構成する上部支分中空体１２ａ１と下半分を構成する下部支分中空体１２ａ２とで構成し、該球状中空体１２ａは、図３に示すように、前者の下端に形成した雄ねじ部を後者の上端に形成した雌ねじ部に螺合することで結合構成したものである。
【００４３】
図３に示すように、前記部分球状中空体１２ｂは、半球を僅かに下回る部分球状であり、前記球状中空体１２ａの下部内面にその外面がスライド自在に接し得る外径の中空内球１２ｂ１と該球状中空体１２ａの下部外面にその内面がスライド自在に接し得る内径の中空外球１２ｂ２とで構成したものである。上記中空内球１２ｂ１は下部に垂下突出する吐出管１２ｂ１ａを備え、該吐出管１２ｂ１ａは、その外周中央部に環状の係止突条１２ｂ１ｂを備えたものである。前記中空外球１２ｂ２は、下部に前記吐出管１２ｂ１ａに外装可能な内径を備えた係止管１２ｂ２ａを垂下突出させてある。また該係止管１２ｂ２ａは、その内周中央部に前記係止突条１２ｂ１ｂに外装係合し得る環状の係止凹部１２ｂ２ｂを形成してある。
【００４４】
前記球状中空体１２ａを、上部支分中空体１２ａ１と下部支分中空体１２ａ２とに分離した状態で、該下部支分中空体１２ａ２中に、前記部分球状中空体１２ｂの中空内球１２ｂ１を、その上方から装入し、後者の吐出管１２ｂ１ａを前者の連結開口部１２ａｈから垂下させる。この状態で、該部分球状中空体１２ｂの中空外球１２ｂ２を該下部支分中空体１２ａ２に下方から外装し、同時に、該中空外球１２ｂ２の係止管１２ｂ２ａを前記中空内球１２ｂ１の吐出管１２ｂ１ａに下方から外装させ、該吐出管１２ｂ１ａの係止突条１２ｂ１ｂに該係止管１２ｂ２ａの係止凹部１２ｂ２ｂを外装係合させる。該係止突条１２ｂ１ｂに対する該係止凹部１２ｂ２ｂの外装係合は、相互の弾力的変形を通じて行われる。
【００４５】
またこのように、該係止突条１２ｂ１ｂと該係止凹部１２ｂ２ｂとが係合した状態で、前記球状中空体１２ａの下部支分中空体１２ａ２の内面とその内部の中空内球１２ｂ１の外面とがスライド自在に接した状態となり、かつ該下部支分中空体１２ａ２の外面とその外部の中空外球１２ｂ２の内面とがスライド自在に接した状態となる。即ち、図３に示すように、上記下部支分中空体１２ａ２の下部側は、中空内球１２ｂ１と中空外球１２ｂ２による二重構造の隙間空間内にスライド自在に挿入された状態となる。なお、以上のようになるように、前記係止突条１２ｂ１ｂと前記係止凹部１２ｂ２ｂとの位置関係は設定しておくべきものである。
【００４６】
以上の下部支分中空体１２ａ２には、その中に前記中空内球１２ｂ１を装入した後は、何時でも、前記上部支分中空体１２ａ１を結合することができる。結合の仕方は先に述べた通りである。
【００４７】
なお、図３に示すように、該上部支分中空体１２ａ１の下部途中の内面には、部分球状中空体１２ｂをその中心を中心とする球面上をスライド移動させた場合に、その移動を所定範囲内に制限する規制突条１２ａ１ｒを環状に突出させておくものとする。上記部分球状中空体１２ｂを、上記のようにスライド移動させると、いずれ、前記下部支分中空体１２ａ２の下端のいずれかの部位が、部分球状中空体１２ｂの中空内球１２ｂ１の下部から垂下した吐出管１２ｂ１ａの外周に当接することとなるが、このとき、これと同時に、該中空内球１２ｂ１の上端のいずれかの部位が、前記規制突条１２ａ１ｒのいずれかの部位に当接することとなるように、相互の位置関係を定めるべきである。
【００４８】
また上部支分中空体１２ａ１の上端には、図３に示すように、連結管１２ａ１ｋが突出させてあり、これが前記排出管４の上支分管４ａの下端と螺合によって接続するようになっている。また前記部分球状中空体１２ｂの中空内球１２ｂ１の下部から垂下した吐出管１２ｂ１ａは、前記排出管４の下支分管４ｂの上端と接続するようになっている。
【００４９】
前記汚物容器３は、図１及び図４に示すように、この実施例では、直方体状のプラスチックの容器を採用した。その上部の一方の肩部に、前記排出管４の下支分管４ｂの下端を結合し、他方の肩部に円筒状の排気口３ａを突出させ、該排気口３ａの内部に、防臭用のフィルタ部材を充填した籠状部材３ｂを嵌め込むものとした。フィルタ部材としては活性炭などを自由に採用することができる。
【００５０】
前記供給管部は、前記のように、主管６ａ及び該主管６ａの下端に三方切換弁７を介して上端を接続する二つの分岐管６ｂ、６ｃで構成したものであり、該主管６ａの上端側は、図１及び図２に示すように、前記便器部１の外面側の外縁部に沿って配置し、その途中の複数の位置にノズル６ｄ、６ｄ…を結合すると共に、該ノズル６ｄ、６ｄ…の先端側を該便器部１中に進入させて開口したものである。
【００５１】
図１、図２、図６及び図７に示すように、該便器部１の外面側の外縁部にほぼ定間隔で複数のリブｒ、ｒ…を構成し、該主管６ａの上端側は該各リブｒで支持する。具体的には、図６及び図７に示すように、該主管６ａの上端側は、該リブｒ、ｒ…に開口した係止穴に貫通させた状態で配し、前記ノズル６ｄ、６ｄ…は、それぞれ各リブｒ、ｒ…の近傍で該主管６ａに接続し、かつその先端側を便器部１中に進入開口させる。また、図１、図２及び図３に示すように、該主管６ａの便器部１の外縁部から若干離れた部位には管継手６ｅを挿入し、これによってその両側の部位を着脱自在に結合しておくものとする。管継手６ｅとしては、市販のワンタッチで着脱可能なそれを採用した。
【００５２】
前記三方切換弁７としては、前記制御手段１１で制御の可能な電磁弁を採用した。
【００５３】
また前記温水供給手段８は、先に述べ、かつ図１及図４に示すように、前記一方の分岐管６ｂの下端に接続するものであり、断熱材で被覆したタンク部８ａと、該タンク部８ａ中に配した温度制御付きの電熱ヒータ８ｂと、該タンク部８ａの底部に構成した計量センサ部８ｃと、コンプレッサ８ｄとで構成したものである。
【００５４】
該タンク部８ａは、図１及び図４に示すように、その一方の肩部で前記一方の分岐管６ｂと接続し、該分岐管６ｂに連通する補助管８ａ１を肩部の接続部位から底部まで延長しておく。また該タンク部８ａの他方の肩部には水を補充するための蓋付きの補充口を備えたものとする。更に又前記コンプレッサ８ｄは、その吐出口から延長した配管８ｄ１を、前記タンク部８ａの前記一方の肩部に、前記分岐管６ｂの接続部位に隣接して接続し、この部位から該タンク部８ａ内に圧縮空気を圧送することにより、内部の温水を該分岐管６ｂを通じて送り出すことができるようにしたものである。
【００５５】
なお前記温度制御付きの電熱ヒータ８ｂは、これを動作させると、その温度制御部がタンク部８ａ内の温水の温度を測定し、その温度が設定値より低ければヒータ部を発熱駆動させ、高ければヒータ部の駆動を停止させるように制御動作し、タンク部８ａ内の温水の温度を設定値に制御すべく動作する。また前記計量センサ部８ｃはタンク部８ａ内の温水の重量を測定し、その検出重量信号を前記制御手段１１に供給するようになっている。
【００５６】
前記乾燥風送給手段９は、先に述べ、かつ図１及び図４に示すように、前記他方の分岐管６ｃの下端に接続するものであるが、送風ファン部９ａと、熱交換部９ｂとで構成したものである。該送風ファン部９ａでは、外気を導入口から導入して、これを熱交換部９ｂに送り込み、該熱交換部９ｂでは、送り込まれた外気と熱交換を行い、温風状態にしてその吐出口より前記分岐管６ｃに送給する。該熱交換部９ｂは、電熱ヒータとその熱を導入された外気に伝えるためのフィン部とで構成したものである。
【００５７】
前記排便・排尿検出器１０は、図１、図２及び図５に示すように、便器部１内の臀部側で、対象者に装着した状態で最下部となる部位の内面に配した圧力センサと、該圧力センサが所定値以上の圧力を検出した場合に排便又は排尿を検出したものとする排便・排尿判定手段とで構成したものである。圧力センサ上に尿又は便が載るとその重量が検出され、重量信号が排便・排尿判定手段に入力され、該排便・排尿判定手段では、検出重量が基準値を越えるか否かの判断を行い、越えると判断される場合は、排便又は排尿が行われたと判断してその旨の信号を出力するように構成したものである。
【００５８】
また前記制御手段１１は、前記排便・排尿検出器１０の検出結果に応じて、以下のように、各構成要素を制御するように構成したものである。
即ち、まず前記排便・排尿検出器１０が排便又は排尿を検出し、その旨の信号が出力されると、前記三方切換弁７を切換制御し、前記一方の分岐管６ｂと主管６ａとを連通させ、温水供給手段８のコンプレッサ８ｄを同時に動作させ、タンク部８ａの温水を該分岐管６ｂ、該主管６ａ及びノズル６ｄ、６ｄ…を通じて前記便器部１中に噴出させる。また前記三方切換弁７の上記切換動作と同時に前記開閉弁５を開制御し、該便器部１と前記汚物容器３とを前記排出管４を通じて連通状態としておく。なおタンク部８ａ内の温水の温度は前記温度制御付きの電熱ヒータ８ｂにより設定温度に保持されている。
【００５９】
予め設定した量の温水を噴出させたところで、前記三方切換弁７を切換制御し、前記他方の分岐管６ｃと前記主管６ａとを連通させ、同時に前記コンプレッサ８ｄの動作を停止させる。設定量の温水の噴出が行われたか否かは、前記計量センサ部８ｃから制御手段１１に供給される検出重量信号によって判断する。噴出開始時の温水重量からの変化量が設定量に達したところで、前記三方切換弁７に対する前記切換制御を行い、同時にコンプレッサ８ｄに対する停止制御を行う訳である。
【００６０】
引き続いて前記乾燥風送給手段９の送風ファン部９ａ及び熱交換部９ｂとを駆動制御し、温風を該分岐管６ｃ、該主管６ａ及びノズル６ｄ、６ｄ…を通じて前記便器部１中に噴出させる。設定した時間の噴出動作をさせた後に、該送風ファン部９ａ及び該熱交換部９ｂの動作を停止させ、次いで前記開閉弁５を閉制御する。
【００６１】
なお、前記温水供給手段８の温水供給動作又は前記乾燥風送給手段９の乾燥風送給動作が作用している間は、前記排便・排尿検出器１０の出力は無視されるようになっている。
【００６２】
なお、この実施例では、以上の温水供給手段８を構成するタンク部８ａ、コンプレッサ８ｄ、汚物容器３及び前記乾燥風送給手段９は、台車１３上に配置し移動できるようにしてある。なお、この台車１３としては、その台座を若干昇降可能に構成したものを採用した。
【００６３】
従ってこの実施例の排泄物処理装置によれば、寝たきりの老人や歩行不能な病人等の対象者に装着してその排便や排尿の処理を自動的にかつ衛生的に行うことができる。
【００６４】
この排泄物処理装置は、臀部付近に穴を開けたベッド１４に装着対象者を寝せて使用することができる。
この装置は、前記台車１３で、便器部１を除く大部分を上記ベッド１４の下方に配置し、次いで、取り外してあった前記排出管４をベッド１４の上方からその穴を通じて下方に垂下させ、その下端を前記汚物容器３に接続する。該排出管４の下支分管４ｂの下端外周に形成してある雄ねじ部と汚物容器３の上部に形成してある連結穴の雌ねじ部とを螺合させることで容易に結合し得るものである。便器部１と該排出管４の上支分管４ａの上端との結合は、該便器部１の臀部側下部に垂下突出状態に形成した筒状雄ねじ部に該上支分管４ａの上端内周に形成した雌ねじ部を螺合することで容易に行いうるものである。また便器部１に接続してある供給管部の主管６ａは、この時点では、その途中の管継手６ｅの部分で上下が分離されているが、下方の部分を前記ベッド１４の穴を通じてベッド１４の上方に引き上げ、主管６ａの上部側と下部側とを該管継手６ｅで結合する。
【００６５】
この装置は、このように準備した上で使用することができる。このとき、このベッド１４上に横になった装着対象者の臀部乃至陰部との関係で便器部１の高さが適切でない場合は、前記台車１３の台座の高さを調節して、その高さ調節を行っておく。
【００６６】
この後は、前記便器部１を、該当ベッド１４に横になっている老人等の装着対象者の股間に密着状態に取り付ける。
まず便器部１を、ベッド１４上の対象者に、図４に示すように、その臀部対応部側を対象者の臀部側に、陰部対応部側を対象者の陰部側に対応させ、その開口部縁を該対象者の該臀部及び該陰部を囲む状態でその周囲に密着させる。このように、便器部１の開口部縁を対象者の上記部位に当接させると、該開口部縁には、当接部の形状に対応して自由に変形し得るシリコンゴムを採用したので、その部位の形状に応じて変形して良好に密着し、該便器部１の内部が外部からほぼ完全に遮断された状態になる。
【００６７】
この後、この状態を、便器部１の臀部側両側付近に結合した前記保持片２、２で保持固定する。この状態で、該保持片２、２を、各々対象者の脚部乃至腰部の外側を巻いて該便器部１の陰部側外面まで延長し、その先端内面の各面状ファスナ２ａ、２ａを該便器部１の陰部側外面に配してある対応面状ファスナ１ｂの各対応する部位に圧接して相互を結合する。こうして、上記のように、便器部１は、対象者の股間に保持固定される。
【００６８】
そして、このように便器部１を装着しておけば、老人等の対象者は、ベッド１４に横になったままで排便をし或いは排尿をした場合でも、それらは洗い流され、かつその後、十分に乾燥され、常に衛生的な状態を保持することができる。
【００６９】
老人等の対象者が排便又は排尿をすると、前記排便・排尿検出器１０がそれを検出し、その旨の信号を出力する。そしてこの信号が前記制御手段１１に入力されると、該制御手段１１により、順次以下のように各部が制御される。
【００７０】
まず前記三方切換弁７を切換制御され、前記供給管部の一方の分岐管６ｂと主管６ａとが連通され、前記温水供給手段８のコンプレッサ８ｄが同時に動作すべく制御され、前記タンク部８ａの温水が該分岐管６ｂ、該主管６ａ及びノズル６ｄ、６ｄ…を通じて前記便器部１中に噴出されることになる。また前記三方切換弁７の上記切換動作と同時に前記開閉弁５も開制御され、前記便器部１と前記汚物容器３とが前記排出管４を通じて連通状態となり、汚物混じりの洗浄水が該排出管４を通じて該汚物容器３に流下されることになる。
【００７１】
なお、前記タンク部８ａ中の前記温度制御付きの電熱ヒータ８ｂは、使用開始時にその動作を開始させておくものする。それ故、該前記タンク部８ａ内の温水の温度は該電熱ヒータ８ｂにより常時設定温度に保持されることになる。
【００７２】
前記温水供給手段８のタンク部８ａから予め設定した量（例えば、１Ｌ）の温水が噴出されると、該タンク部８ａ中の温水量が１Ｌ分（１ｋｇ）低下したことが、前記計量センサ部８ｃから前記制御手段１１に入力される計量信号の変化から確認され、該制御手段１１によって更に以下のように制御される。即ち、前記三方切換弁７が切換制御され、前記他方の分岐管６ｃと前記主管６ａとが連通され、同時に前記コンプレッサ８ｄの動作が停止される。
【００７３】
引き続いて前記乾燥風送給手段９の送風ファン部９ａ及び熱交換部９ｂとが駆動制御され、温風が該分岐管６ｃ、該主管６ａ及びノズル６ｄ、６ｄ…を通じて前記便器部１中に噴出される。設定した時間、この実施例では１分の噴出動作がされた後に、該送風ファン部９ａ及び該熱交換部９ｂの動作が停止させられ、次いで前記開閉弁５が閉制御される。
【００７４】
なお、前記温水供給手段８の温水供給動作又は前記乾燥風送給手段９の乾燥風送給動作が作用している間は、前記排便・排尿検出器１０の出力は無視され、温水の噴出等に起因して出力される信号によって以上の動作サイクルが更にスタートさせられるようなことがないようになっている。
【００７５】
以上のように、便器部１内は、排便・排尿が検出されると、すぐに温水で洗浄され、更に乾燥風（温風）で乾燥させられるようになっているので、対象者の臀部及び陰部並びに便器部１内は常時衛生的に保持される。また洗浄用の温水は、該便器部１外周の周縁部近傍に沿って配置したノズル６ｄ、６ｄ…によって該便器部１内に噴出されるようになっているため、便器部１の内部及びこれを装着した老人等の対象者の臀部等を隅々まで良好に洗浄することができる。
【００７６】
更に前記便器部１の開口部縁はシリコンゴムで構成され、対象者の該当部位に密着しているため、温水による洗浄の際にも、洗浄水が漏水するような問題が生じる虞はない。
【００７７】
前記汚物容器３では、以上の動作中に、汚物混じりの洗浄水がこの中に流下し、その上部のガスを排気口３ａから押し出すことになる。また乾燥風もこの中を通り、該排気口３ａから大気に放出されることになる。このとき、これらのガスは、排気口３ａ中のフィルタ部材で臭い成分が除去されて放出され、外部に臭いをまき散らす虞はない。
【００７８】
また前記排出管４は上支分管４ａと下支分管４ｂとで構成し、その間に３６０度のいずれの方向にも自由に屈曲可能なジョイント部１２を配したため、この便器部１と装着した老人等の対象者は、ある程度の範囲で装着したままで身体を動かすことが可能である。
【図面の簡単な説明】
【００７９】
【図１】実施例の排泄物処理装の説明図。
【図２】実施例の排泄物処理装置の便器部及びその周辺の拡大説明図。
【図３】実施例の排泄物処理装置のジョイント部の拡大断面図。
【図４】実施例の排泄物処理装置をベッドに配して対象者に装着した状態の説明図。
【図５】実施例の排泄物処理装置の便器部の拡大正面図。
【図６】実施例の排泄物処理装置の便器部の拡大断面図。
【図７】実施例の排泄物処理装置の便器部の拡大断面部分図。
【符号の説明】
【００８０】
１    便器部
１ａ  開口部縁
１ｂ  対応面状ファスナ
２    保持片（保持手段）
２ａ  面状ファスナ
３    汚物容器
３ａ  汚物容器の排気口
３ｂ  籠状部材
４    排出管（排出管部）
４ａ  上支分管
４ｂ  下支分管
５    開閉弁
６ａ  主管
６ｂ  分岐管
６ｃ  分岐管
６ｄ  ノズル
６ｅ  管継手
７    三方切換弁
８    温水供給手段
８ａ  タンク部
８ａ１  補助管
８ｂ  温度制御付きの電熱ヒータ
８ｃ  計量センサ部
８ｄ  コンプレッサ
８ｄ１  配管
９    乾燥風送給手段
９ａ  送風ファン部
９ｂ  熱交換部
１０  排便・排尿検出器（検出手段）
１１  制御手段
１２  ジョイント部（ジョイント手段）
１２ａ  球状中空体
１２ａ１  球状中空体の上部支分中空体
１２ａ１ｒ  上部支分中空体の規制突条
１２ａ１ｋ  上部支分中空体の連結管
１２ａ２  球状中空体の下部支分中空体
１２ａｈ  球状中空体の下部の連結開口部
１２ｂ  部分球状中空体
１２ｂ１  部分球状中空体の中空内球
１２ｂ１ａ  中空内球の吐出管
１２ｂ１ｂ  中空内球の吐出管の係止突条
１２ｂ２  部分球状中空体の中空外球
１２ｂ２ａ  中空外球の係止管
１２ｂ２ｂ  中空外球の係止管の係止凹部
１３  台車
１４  ベッド
ｒ    リブ
【図１】
0003129272.tif 000003
【図２】
0003129272.tif 000004
【図３】
0003129272.tif 000005
【図４】
0003129272.tif 000006
【図５】
0003129272.tif 000007
【図６】
0003129272.tif 000008
【図７】
0003129272.tif 000009
【手続補正書】
【提出日】平成18年12月1日(2006.12.1)
【手続補正１】
【補正対象書類名】実用新案登録請求の範囲
【補正対象項目名】請求項４
【補正方法】変更
【補正の内容】
【請求項４】
前記検出手段を、排便検出器と排尿検出器とで構成し、前記排便検出器を前記便器部内面に配した圧力センサと、該圧力センサが所定値以上の圧力を検出した場合に排便を検出したものとする排便判定手段とで構成し、前記排尿検出器を、前記便器部内面に所定間隔で配した二つの電極と、その電極間の抵抗を測定する抵抗測定手段と、該抵抗測定手段が所定値以下の抵抗値を検出した場合に排尿を検出したものとする排尿判定手段とで構成した請求項１、２又は３の排泄物処理装置。